(57)【特許請求の範囲】
【請求項１】
カラー画像信号に基づいて画像を表示する画像表示装置の前処理装置として使用される画像信号処理装置であって、入力されたカラー画像信号の信号値を、視野角に応じた人間の分光視感度特性と、前記画像表示装置の分光特性と、視野角補正量と、を用いて演算する色空間補正手段を備えることを特徴とする画像信号処理装置。
【請求項２】
前記色空間補正手段は、さらに、基準画像表示装置の分光特性、または、基準画像表示装置の輝度および色度を用いて演算することを特徴とする請求項１に記載の画像信号処理装置。
【請求項３】
前記色空間補正手段から出力されたカラー画像信号を白バランス補正する白バランス補正手段をさらに備えることを特徴とする請求項１または２に記載の画像信号処理装置。
【請求項４】
前記色空間補正手段内に、白バランス補正する白バランス補正手段をさらに備えることを特徴とする請求項１または２に記載の画像信号処理装置。
【請求項５】
前記視野角補正量は、前記画像表示装置の画面のサイズと、画面から観察者までの距離の比により決定されることを特徴とする請求項１または２に記載の画像信号処理装置。
【請求項６】
前記分光視感度特性は、２°視野分光視感度特性と、１０°視野分光視感度特性とを用いることを特徴とする請求項１に記載の画像信号処理装置。
【請求項７】
カラー画像信号を前処理する画像信号前処理手段と、前処理されたカラー画像信号に基づき画像を表示する画像表示手段とを備える画像表示装置であって、前記画像信号前処理手段は、請求項１乃至６のいずれかに記載の画像信号処理装置であることを特徴とする画像表示装置。
【請求項８】
視野角補正量の入力をリモコン入力により行うことを特徴とする請求項７に記載の画像表示装置。
【発明の詳細な説明】
【技術分野】
【０００１】
本発明は、画面の大きさに対する画面から観察者までの距離の比によって観察者が知覚する色および輝度の違いを補正する画像信号処理装置及び画像表示装置に関するものである。
【背景技術】
【０００２】
画面サイズが５０インチや１００インチなどの大型の画面を持つプロジェクターやプラズマディスプレイなどの画像表示装置を正しい色再現の状態に調整する場合、一般的に３０インチ程度の画面サイズを持つマスターモニターなどの基準とする画像表示装置と同じ輝度、色度になるように、輝度と色の調整を行っていた。また、一般的に画像の迫力感を得るために、プロジェクターやプラズマディスプレイなどの大画面を表示する画像表示装置は、画面の大きさに対する画面から観察者まで距離の比が小さくなることが多い。
【０００３】
しかし、人間の視感覚は、同じ色度で同じ輝度の映像を見ても視野角によって異なって見える。このことは一般に色の面積効果などと呼ばれる現象であり、２°視野と１０°視野の分光感度が国際照明委員会（ＣＩＥ）で決められている。
【０００４】
つまり、画面の大きさと画面から観察者まで距離の比が異なれば、画像表示装置を同じ輝度、色度になるように調整を行っても、人間の目には違ったように見えるという欠点があった。
【０００５】
この改善策として、明度補正手段を有する画像処理装置が提案されている（例えば、特許文献１参照）。これは、入力された画像を変倍して、その変倍後の画像を出力する画像処理装置において、変倍前または変倍後の画像データの明度値をその変倍の倍率に応じて補正するようにしたものである。
【０００６】
また、目標となるマスターモニターを大画面の画像表示装置の横に配置し、様々な色票を表示しながら、目視によって色相、彩度、輝度などを手動で調整する方法もある。
【特許文献１】特開２００１−３３９６０２号公報
【発明の開示】
【発明が解決しようとする課題】
【０００７】
しかしながら、上記従来の画像表示装置は、画面の大きさと画面から観察者までの距離の比が違う画像を同じ色で同じ輝度に知覚させるための調整を目視や手動で行うなど、人によるバラツキが大きかったり、簡単に行うことができないという問題があった。
【０００８】
本発明は、簡単な方法で、色の面積効果の影響度を補正した画像信号を安定して表示することのできる、画像信号処理装置及び画像表示装置を提供することを目的とする。
【課題を解決するための手段】
【０００９】
上記目的を達成するため、本発明に係る画像信号処理装置は、カラー画像信号に基づいて画像を表示する画像表示装置の前処理装置として使用される画像信号処理装置であって、入力されたカラー画像信号の信号値を、視野角に応じた人間の分光視感度特性と、前記画像表示装置の分光特性と、基準画像表示装置の分光特性と、視野角補正量と、を用いて演算する色空間補正手段とを備えることを特徴とする。
【００１０】
なお、ここでカラー画像信号とは、主にＲＧＢ信号やＹＵＶ信号を意味するが、他の種類の画像信号であっても色空間を表す信号であればよい。
【００１１】
前記色空間補正手段は、視野角に応じた人間の分光視感度特性を用い、色を演算して補償することにより、目視による手動調整の必要がなく容易かつ迅速に、これに接続された画像表示装置で表示する画面における色の面積効果を補償することができる。
【００１２】
なお、視野角に応じた人間の分光視感度特性には、国際照明委員会（ＣＩＥ）が定めた２°視野と１０°視野の分光視感度特性が一般に使われるが、分光視感度特性は個人差や年齢による変化があるので、人間の分光視感度特性であればいかなるものでもよい。
【００１３】
さらに、前記色空間補正手段のみでは白色や灰色などの無彩色で色度が変化することがある。経験則から、この無彩色での色度変化は画面を見ている人間に違和感を与えるため、前記色空間補正手段で生じた白バランスの変化を少なくする白バランス補正手段を備える。
【００１４】
また、本発明に係る画像表示装置は、カラー画像信号を前処理する画像信号前処理手段と、前処理されたカラー画像信号に基づき画像を表示する画像表示手段とを備える画像表示装置であって、前記画像信号前処理手段は、上記画像信号処理装置であることを特徴とする。
【発明の効果】
【００１５】
本発明に係る画像信号処理装置及び画像表示装置によれば、入力されたカラー画像信号の信号値を、複数の分光特性と分光視感度特性と視野角補正量とを用いて演算し、色の面積効果を補償できるようにしているので、画像表示装置の画面の大きさと画面から観察者まで距離の比に関わらず、輝度と色を同じように知覚できる画像を容易かつ迅速に表示できる。
【発明を実施するための最良の形態】
【００１６】
以下、この発明を図示の実施の形態により詳細に説明する。
【００１７】
（実施の形態１）
図１は、本発明の実施の形態１の画像表示装置の構成図である。図において、画像表示装置１は、ＲＧＢ信号を入力する部分と、基準となる基準画像表示装置が表示する分光特性記憶部２と、２°視野分光視感度特性記憶部３と、１０°視野分光視感度特性記憶部４と、画像表示装置１の分光特性記憶部５と、リモコン信号受信部６と、制御部７と、色空間補正部１００と、白バランス補正部１０などからなる。
【００１８】
色空間補正部１００は、ＲＧＢ信号と、基準となる基準画像表示装置が表示する分光特性記憶部２と、２°視野分光視感度特性記憶部３と、１０°視野分光視感度特性記憶部４と、画像表示装置１の分光特性記憶部５と、制御部７からの情報を入力する。
【００１９】
また、画像表示装置１は、画像表示装置１の画面のサイズと画面から観察者までの距離の比をリモコン入力するリモコン信号受信部６を備え、制御部７を経由し、色空間補正部１００にその情報を伝達する。
【００２０】
色空間補正部１００は、後述の手段で色の面積効果を補償し、画像信号を白バランス補正部１０に送出する。
【００２１】
白バランス補正部１０は、色空間補正部１００によって発生した無彩色の色ずれを補正するために、基準となる画像表示装置の赤、緑、青、黒の２°視野での輝度および色度から白の合成光の色度と、画像表示装置１の赤、緑、青、黒の広視野での輝度および色度から白の合成光の色度とを求め、白色の色度が等しくなるように、赤、緑、青のゲインを補正し、画像信号を輝度補正部１１に送出する。ここで、赤、緑、青のゲインをそれぞれGｒ、Gｇ、Gｂとし、その求め方を説明する。基準となる画像表示装置の２°視野での赤の色度座標ｘをＸｒａ、色度座標ｙをＹｒａ（以下、「色度座標（Ｘｒａ、Ｙｒａ）」と表記する。他の色についても同様。）、その輝度をＫｒａとし、同じく緑色の色度座標を（Ｘｇａ、Ｙｇａ）、輝度をＫｇａ、青色の色度座標を（Ｘｂａ、Ｙｂａ）、輝度をＫｂａ、黒色の色度座標を（Ｘｋａ、Ｙｋａ）、輝度をＫｋａ、白色の色度座標を（Ｘｗａ、Ｙｗａ）とする。また、画像表示装置１の広視野での赤、緑、青、黒の色度座標をそれぞれ（Ｘｒｂ、Ｙｒｂ）、（Ｘｇｂ、Ｙｇｂ）、（Ｘｂｂ、Ｙｂｂ）、（Ｘｋｂ、Ｙｋｂ）とし、輝度をそれぞれＫｒｂ、Ｋｇｂ、Ｋｂｂ、Ｋｋｂとし、赤、緑、青にゲインを掛けた白色の合成光の色度座標を（Ｘｗｂ、Ｙｗｂ）とする。各画像表示装置の白の合成光は加法混色の原理より、次の（式１）〜（式６）の関係が成り立つ。
【００２２】
【数１】
0005145658.tif 000002
【００２３】
これらの式において、緑のゲインを基準として例えば１とすると、この連立方程式を解くことができ、赤のゲインと青のゲインを求めることができる。
【００２４】
輝度補正部１１は、入力信号における階調性と表示画像における階調性間の非線形性を補正するためになされるものであり、輝度補正部１１内部には、このような非線形性を補正するための階調変換特性を示すテーブルがＲＧＢごとに設けられており、当該テーブルを参照しながら各色についてガンマ補正が実行され、表示デバイス駆動部１２に出力される。
【００２５】
表示デバイス駆動部１２は、色空間補正及び白バランス補正されたＲＧＢ信号に基づき、液晶ディスプレイパネルやプラズマディスプレイパネルなど表示デバイス部１３を駆動して表示画像を形成させる。
【００２６】
図２は、本発明の色空間補正部１００の構成図である。色空間補正部１００は、ＲＧＢ信号を入力する部分と、基準となる画像表示装置の赤、緑、青、黒の分光特性を入力する部分と、２°視野、１０°視野の分光視感度特性を入力する部分と、本発明の画像表示装置１の赤、緑、青、黒の分光特性を入力する部分と、分光特性から色度と輝度を演算する色度・輝度演算部１０１〜１０４および１１１〜１１４と演算した赤、緑、青、黒の色度・輝度を合成した光を演算する合成光演算部１０９と、合成光を広視野で再現するために必要な赤、緑、青の輝度を算出するＲＧＢ輝度算出部１１５などからなる。
【００２７】
なお、図６は上記２°視野の分光視感度特性を示すグラフである。また、図７は上記１０°視野の分光視感度特性を示すグラフである。
【００２８】
基準となる画像表示装置の赤、緑、青、黒色を表示させたときの分光特性は、それぞれ２°視野の赤、緑、青、黒の色度・輝度演算部１０１〜１０４に入力され、２°視野の分光視感度特性入力部から入力されたデータと波長１ｎｍごとに乗算し積分することにより、２°視野の赤、緑、青、黒色の色度および輝度を演算する。
【００２９】
次に、この色度および輝度の一般的な演算方法を具体的に説明する。画像表示装置で任意の色を表示させたときの分光特性をＥ（λ）とし、分光視感度特性を等色関数ｘ（λ）、ｙ（λ）、ｚ（λ）とすると、その色の三刺激値Ｘ、Ｙ、Ｚは（式７）〜（式９）により求めることができる。この三刺激値のＹは輝度であり、また、（式１０）〜（式１１）を使い色度座標（ｘ、ｙ）を求めることができる。これらの式において、λは波長、Ｋｍは定数Ｋｍ＝６８３（ｌｍ／Ｗ）とし、積分は例えば３８０ｎｍ〜７８０ｎｍなどの可視波長域で行うものとする。
【００３０】
【数２】
0005145658.tif 000003
【００３１】
なお、演算方法にて波長１ｎｍごとの計算を行っているが、分光特性から色度および輝度が演算できれば、例えば波長２ｎｍごとなど他の計算方法を用いてもよい。
【００３２】
また、色空間として輝度と色度を用いて計算を行っているが、例えばＣＩＥ（Ｃｏｍｍｉｓｓｉｏｎ  Ｉｎｔｅｒｎａｔｉｏｎａｌｅ  ｄｅ ｌ’Ｅｃｌａｉｒａｇｅ：国際照明委員会）により定義されたＣＩＥＬａｂ色空間やＣＩＥＬＵＶ色空間など、他の色空間を用いて計算してもよい。
【００３３】
また、色空間補正部１００に入力された赤、緑、青色の各画像信号は、ガンマ補正部１０５に入力され、赤、緑、青色の輝度情報の係数となり乗算部１０６〜１０８に送出する。
【００３４】
乗算部１０６〜１０８は、２°視野の赤、緑、青の輝度・色度演算部１０１〜１０３で求めた輝度と、ガンマ補正部１０５から出力された赤、緑、青色の輝度情報の係数を乗算し、基準の画像表示装置が任意のＲＧＢ信号を入力した際に出力する赤、緑、青の輝度を演算する。乗算部１０６〜１０８は、これらの輝度と、２°視野の赤、緑、青の輝度・色度演算部１０１〜１０３で求めた色度を合成光演算部１０９に出力する。
【００３５】
合成光演算部１０９は、乗算部１０６〜１０８と２°視野の黒の色度・輝度演算部１０４から入力した赤、緑、青、黒の輝度および色度から、光の加法混色の原理を使い合成光の輝度および色度を演算し、合成光の輝度および色度をＲＧＢ輝度算出部１１５に出力する。合成光の輝度および色度は、合成光の輝度をＫｗ、色度座標を（Ｘｗ、Ｙｗ）とし、赤、緑、青、黒の輝度をそれぞれ、Ｋｒ、Ｋｇ、Ｋｂ、Ｋｋ、赤、緑、青、黒の色度をそれぞれ、（Ｘｒ、Ｙｒ）、（Ｘｇ、Ｙｇ）、（Ｘｂ、Ｙｂ）、（Ｘｋ、Ｙｋ）とすると（式１２）〜（式１４）を使い求めることができる。
【００３６】
【数３】
0005145658.tif 000004
【００３７】
一方、２°視野の分光視感度特性入力部から入力されたデータと、１０°視野の分光視感度特性入力部から入力されたデータと、画像表示装置の画面のサイズと、画面から観察者までの距離の比の情報をリモコン信号受信部６を通じて視野角補正量として、分光特性合成部１１０に入力する。
【００３８】
分光特性合成部１１０は視野角補正量に応じて、２°視野の分光視感度特性と１０°視野の分光視感度特性の割合を変化させて合成し、合成した分光視感度特性を広視野の色度・輝度演算部１１１〜１１４に出力する。
【００３９】
広視野の赤、緑、青、黒の色度・輝度演算部１１１〜１１４は、分光合成部１１０から出力された合成分光視感度特性と、画像表示装置１の赤、緑、青、黒色を表示させたときの分光特性をそれぞれ波長１ｎｍごとに乗算し積分することにより、広視野での赤、緑、青、黒色の色度および輝度を演算する。演算は、既述の２°視野の赤、緑、青、黒の色度・輝度演算部１０１〜１０４と同様な演算方法を用いる。
【００４０】
ＲＧＢ輝度算出部は、広視野の色度・輝度演算部１１１〜１１４から出力された広視野での赤、緑、青、黒色の色度を合成して、合成光演算部１０９からの輝度および色度になるために必要な赤、緑、青の輝度を光の加法混色の原理を使い算出し、赤、緑、青色の輝度を逆ガンマ補正部１１６へ出力する。次に具体的な演算方法を説明する。広視野での赤、緑、青、黒色の色度座標をそれぞれ、（Ｘｒｗ、Ｙｒｗ）、（Ｘｇｗ、Ｙｇｗ）、（Ｘｂｗ、Ｙｂｗ）、（Ｘｋｗ、Ｙｋｗ）とし、広視野での赤、緑、青、黒色の輝度をそれぞれ、Ｋｒｗ、Ｋｇｗ、Ｋｂｗ、Ｋｋｗとする。また、合成光演算部１０９から出力された色度座標を（Ｘｗ、Ｙｗ）とし、輝度をＫｗとし、合成光演算部１０９から出力された色度および輝度になるために必要な赤、緑、青のゲインをＧｒ、Ｇｇ、Ｇｂとすると、次の（式１５）〜（式１７）の関係が成り立つ。
【００４１】
【数４】
0005145658.tif 000005
【００４２】
したがって、この連立方程式を解くことにより、合成光演算部１０９からの輝度および色度になるために必要な赤、緑、青のゲインＧｒ、Ｇｇ、Ｇｂを求めることができる。
【００４３】
逆ガンマ補正部１１６は、入力した赤、緑、青色の輝度と映像表示装置で輝度補正されるガンマ補正の逆変換を行い、赤、緑、青色の各画像信号を出力する。
【００４４】
（実施の形態２）
図３は、本発明の実施の形態２の画像信号処理装置の構成図である。図において、画像信号処理装置２００は、ＲＧＢ信号を入力する部分と、基準となる基準画像表示装置が表示する分光特性記憶部２と、２°視野分光視感度特性記憶部３と、１０°視野分光視感度特性記憶部４と、画像表示装置１の分光特性記憶部５と、視野角設定値入力部２０１と、制御部７と、色空間補正部１００と、白バランス補正部１０などからなる。
【００４５】
色空間補正部１００は、ＲＧＢ信号と、基準となる基準画像表示装置が表示する分光特性記憶部２と、２°視野分光視感度特性記憶部３と、１０°視野分光視感度特性記憶部４と、画像信号処理装置２００から出力した画像信号を表示する画像表示装置の分光特性記憶部５と、制御部７からの情報を入力する。
【００４６】
また、画像信号処理装置２００は、画像信号処理装置２００から出力した画像信号を表示する画像表示装置の画面のサイズと画面から観察者までの距離の比を入力する視野角設定値入力部２０１を備え、制御部７を経由し色空間補正部１００にその情報を伝達する。
【００４７】
色空間補正部１００は、既述の手段で色の面積効果を補償し、画像信号を白バランス補正部１０に送出する。
【００４８】
白バランス補正部１０は、色空間補正部１００によって発生した無彩色の色ずれを補正するために、基準となる画像表示装置の赤、緑、青、黒の２°視野での輝度および色度から白の合成光の色度と、画像信号処理装置２００から出力した画像信号を表示する画像表示装置の赤、緑、青、黒の広視野での輝度および色度から白の合成光の色度とを求め、白色の色度が等しくなるように赤、緑、青のゲインを既述の手段で補正し、画像信号を表示する画像表示装置に送出する。
【００４９】
（実施の形態３）
図４は、本発明の実施の形態３の白バランス補正部を色空間補正部に取り込んだ画像信号処理装置の構成図である。図において、画像信号処理装置３００は、ＲＧＢ信号を入力する部分と、基準となる基準画像表示装置が表示する分光特性記憶部２と、２°視野分光視感度特性記憶部３と、１０°視野分光視感度特性記憶部４と、画像表示装置１の分光特性記憶部５と、視野角設定値入力部２０１と、制御部７と、色空間補正部３０１などからなる。
【００５０】
色空間補正部３０１は、ＲＧＢ信号と、基準となる基準画像表示装置が表示する分光特性記憶部２と、２°視野分光視感度特性記憶部３と、１０°視野分光視感度特性記憶部４と、画像信号処理装置２００から出力した画像信号を表示する画像表示装置の分光特性記憶部５と、制御部７からの情報を入力する。
【００５１】
また、画像信号処理装置３００は、画像信号処理装置３００から出力した画像信号を表示する画像表示装置の画面のサイズと画面から観察者までの距離の比を入力する視野角設定値入力部２０１を備え、制御部７を経由し色空間補正部３０１にその情報を伝達する。
【００５２】
色空間補正部３０１は、後述の手段で色の面積効果を補償し、白バランス補正を行い、画像信号を表示する画像表示装置に送出する。
【００５３】
図５は、上記色空間補正部３０１の構成図である。色空間補正部３０１は、ＲＧＢ信号を入力する部分と、基準となる画像表示装置の赤、緑、青、黒の分光特性を入力する部分と、２°視野、１０°視野の分光視感度特性を入力する部分と、本発明の画像表示装置１の赤、緑、青、黒の分光特性を入力する部分と、分光特性から色度と輝度を演算する色度・輝度演算部１０１〜１０４および１１１〜１１４と、演算した赤、緑、青、黒の色度・輝度を合成した光を演算する合成光演算部１０９と、合成光を広視野で再現するために必要な赤、緑、青の輝度を算出するＲＧＢ輝度算出部１１５と、白バランス補正部３１３などからなる。
【００５４】
基準となる画像表示装置の赤、緑、青、黒色を表示させたときの分光特性は、それぞれ２°視野の赤、緑、青、黒の色度・輝度演算部１０１〜１０４に入力され、２°視野の分光視感度特性入力部から入力されたデータと波長１ｎｍごとに乗算し積分することにより、２°視野の赤、緑、青、黒色の色度および輝度を演算する。
【００５５】
また、色空間補正部１００に入力された赤、緑、青色の各画像信号は、ガンマ補正部１０５に入力され、赤、緑、青色の輝度情報の係数となり乗算部１０６〜１０８に送出する。
【００５６】
乗算部１０６〜１０８は、２°視野の赤、緑、青の輝度・色度演算部１０１〜１０３で求めた輝度および色度と、ガンマ補正部１０５から出力された赤、緑、青色の輝度情報の係数を乗算し、基準の画像表示装置が任意のＲＧＢ信号を入力した際に出力する赤、緑、青の輝度および色度を演算し、合成光演算部１０９に出力する。
【００５７】
合成光演算部１０９は、乗算部１０６〜１０８と２°視野の黒の色度・輝度演算部１０４から入力した赤、緑、青、黒の輝度および色度から光の加法混色の原理を使い合成光の輝度および色度を演算し、合成光の輝度および色度をＲＧＢ輝度算出部１１５に出力する。
【００５８】
一方、２°視野の分光視感度特性入力部から入力されたデータと、１０°視野の分光視感度特性入力部から入力されたデータと、映像表示装置の画面のサイズと画面から観察者までの距離の比の情報を、視野角補正量として分光特性合成部１１０に入力する。
【００５９】
分光特性合成部１１０は、視野角補正量に応じて、２°視野の分光視感度特性と、１０°視野の分光視感度特性の割合を変化させて合成し、合成した分光視感度特性を広視野の色度・輝度演算部１１１〜１１４に出力する。
【００６０】
広視野の赤、緑、青、黒の色度・輝度演算部１１１〜１１４は、分光合成部１１０から出力された合成分光視感度特性と、画像表示装置１の赤、緑、青、黒色を表示させたときの分光特性をそれぞれ波長１ｎｍごとに乗算し積分することにより、広視野での赤、緑、青、黒色の色度および輝度を演算する。
【００６１】
２°視野の白の色度・輝度演算部３１１は、基準となる画像表示装置の赤、緑、青、黒の分光特性と２°視野の分光視感度特性から２°視野での白色の色度と輝度を求め、白バランス補正部３１３に出力する。
【００６２】
広視野の白の色度・輝度演算部３１２は、色空間補正部３０１から出力する画像信号を表示する画像表示装置の赤、緑、青、黒の分光特性と分光特性合成部１１０が出力した広視野の分光視感度特性から広視野での白色の色度と輝度を求め、白バランス補正部３１３に出力する。
【００６３】
白バランス補正部３１３は、広視野の白の色度・輝度演算部３１２で求めた色度が２°視野の白の色度・輝度演算部３１１で求めた色度になるように、赤、緑、青の輝度バランスを補正し、ＲＧＢ輝度算出部１１５に出力する。
【００６４】
ＲＧＢ輝度算出部１１５は、白バランス補正部３１３から出力された広視野での赤、緑、青、黒色の色度を合成して、合成光演算部１０９からの輝度および色度になるために必要な赤、緑、青の輝度を光の加法混色の原理を使い算出し、赤、緑、青色の輝度を逆ガンマ補正部１１６へ出力する。
【００６５】
逆ガンマ補正部１１６は、入力した赤、緑、青色の輝度と、映像表示装置で輝度補正されるガンマ補正の逆変換を行い、赤、緑、青色の各画像信号を出力する。
【００６６】
なお、上記これらの実施の形態では、色空間補正部での演算に基準画像装置の分光特性を用いたが、必ずしも必要ではなく、また、基準画像装置の輝度および色度を用いるようにしてもよい。
【００６７】
また、上記これらの実施の形態では、画像信号は、画像表示装置の分光特性や分光視感度特性などの多くの情報を画像表示装置または画像信号処理装置で演算したが、演算処理部の小型化や演算処理速度の高速化などのために、あらかじめ変換テーブルを作成して、変換テーブルを用いた構成としてもよい。
【産業上の利用可能性】
【００６８】
本発明にかかる画像信号処理装置及び画像表示装置は、色の面積効果を補償できるようにしているので、画面の大きさに対する画面から観察者までの距離の比によって観察者が知覚する色および輝度の違いを補正する画像表示装置に関して有用である。
【図面の簡単な説明】
【００６９】
【図１】本発明の実施の形態１に係る画像表示装置の全体構成を示す図
【図２】本発明の実施の形態１に係る画像表示装置の色空間補正部の構成を示す図
【図３】本発明の実施の形態２に係る画像信号処理装置の全体構成を示す図
【図４】本発明の実施の形態３に係る白バランス補正部を色空間補正部に取り込んだ画像信号処理装置の全体構成を示す図
【図５】本発明の実施の形態３に係る画像信号処理装置の色空間補正部の構成を示す図
【図６】２°視野の分光視感度特性を示すグラフ
【図７】１０°視野の分光視感度特性を示すグラフ
【符号の説明】
【００７０】
１  画像表示装置
２  基準画像表示装置分光特性記憶部
３  ２°視野分光視感度特性記憶部
４  １０°視野分光視感度特性記憶部
５  画像表示装置分光特性記憶部
６  リモコン信号受信部
７  制御部
１０  白バランス補正部
１１  輝度補正部
１２  表示デバイス駆動部
１３  表示デバイス部
１００、３０１  色空間補正部
１０１  ２°視野の赤の色度・輝度演算部
１０２  ２°視野の緑の色度・輝度演算部
１０３  ２°視野の青の色度・輝度演算部
１０４  ２°視野の黒の色度・輝度演算部
１０５  ガンマ補正部
１０６、１０７、１０８  乗算部
１０９  合成光演算部
１１０  分光特性合成部
１１１  広視野の赤の色度・輝度演算部
１１２  広視野の緑の色度・輝度演算部
１１３  広視野の青の色度・輝度演算部
１１４  広視野の黒の色度・輝度演算部
１１５  ＲＧＢ輝度算出部
１１６  逆ガンマ補正部
２００、３００  画像信号処理装置
２０１  視野角設定値入力部
３１１  ２°視野の白の色度・輝度演算部
３１２  広視野の白の色度・輝度演算部
３１３  白バランス補正部
【図１】
0005145658.tif 000006
【図２】
0005145658.tif 000007
【図３】
0005145658.tif 000008
【図４】
0005145658.tif 000009
【図５】
0005145658.tif 000010
【図６】
0005145658.tif 000011
【図７】
0005145658.tif 000012